(57)【要約】  【目的】  本発明は、使用時には倒伏状態で裏面を天板面として使用し、不使用時には起立状態で内部空間を閉塞する扉体と、起立状態の扉体の上部に配設され前後方向に出入自在の照明ユニットを有する机に関し、机の扉体と照明ユニットの前カバー（框材）との意匠的一体感を図り、さらに、十分な半透過効果を得る机を提供すること目的とする。    【構成】  倒伏状態では裏面を天板面として使用し、起立状態では内部空間を閉塞する扉体と、起立状態の扉体の上部に前後方向に出入自在の照明ユニットを有する机において、照明ユニットは、光源と、収納状態で起立状態の扉体とほぼ面一で同一材質の框材を有し、框材は裏面上端部を中心として、略垂直姿勢と下端が前方に突出する傾斜姿勢に回動自在に構成され、框材の裏面下端部には、略垂直姿勢で中心より後方で略水平方向に突出する半透明の合成樹脂材からなる半透過板が取付けられているものである。【選択図】    図６
2006034648.tif 000002
【特許請求の範囲】
【請求項１】
使用時には、倒伏状態として裏面を作業用の天板面として使用し、不使用時には起立状態として内部空間を閉塞するようにした扉体と、起立状態の扉体の上部に前後方向に出入自在に設けられた照明ユニットを有する机において、照明ユニットは、光源と、照明ユニットの収納状態で、起立状態の扉体の上端縁とほぼ面一で扉体と同一の材質より構成された框材を有し、框材は裏面上端部を中心として回動し、略垂直姿勢と下端が前方に突出する傾斜姿勢に姿勢変更自在に構成され、框材の裏面下端部には、框材の略垂直姿勢で框材の回動中心より後方で略水平方向に突出する半透明の合成樹脂材からなる前方遮蔽部を有する半透過板が取付けられていることを特徴とする机。
【請求項２】
半透過板は、と左右側方遮蔽部と框材裏面と連結される取付部より構成されていることを特徴とする請求項１に記載の机。
【請求項３】
前方遮蔽部の前端が框材の下端縁より上方に位置して、框材の裏面下端部と前方遮蔽部間に手掛かり部が構成されていることを特徴とする請求項２に記載の机。
【発明の詳細な説明】
【技術分野】
【０００１】
本発明は、使用時には、倒伏状態として裏面を作業用の天板面として使用し、不使用時には起立状態として内部空間を閉塞するようにした扉体と、起立状態の扉体の上部に配設され前後方向に出入自在となした照明ユニットを有する机に関するものである。
【背景技術】
【０００２】
この種の机は、扉体を倒伏状態として裏面を作業用の天板面として使用する場合、扉体は机本体の前方に突出するので、照明効率の向上を図るため、照明ユニットは前方に引出せるように構成され、さらに、光をより前方に照射するため、光源の前面側（照明ユニットの前端）に設けられた前部カバーは略垂直姿勢から下端が前方に突出する傾斜姿勢に姿勢変更自在とされ、そして、光源から照射される光が使用者の目に直接入らないよう、前カバーは前方に突出するよう湾曲させた長尺板体の下端部のみを乳白色とし、他の部分を不透明に合成樹脂で一体に成形されたものであった。（例えば、特許文献１参照。）
【０００３】
一方、この種の机は、他の室内家具との調和を図るため、又、加工の容易さから木質材から形成されているのが常であるが、上記の場合、前カバーが合成樹脂で成形されているので、特に天板（扉体）を閉じた状態では前カバーと扉体は近接するので、前カバーと扉体の異質感（材質の違いによる質感の相違）が顕著となり、天板（扉体）と前カバーの意匠的一体感がなかった。
さらに、乳白色とした部分のほとんどが、前カバーの略垂直姿勢で、前カバーの回動中心より前方に位置しているので、前カバーを傾斜状態としてとき、乳白色の部分は上方前方に位置することとなり、十分な半透過効果（光源が使用者の目に直接ふれず、且つ、使用者が眩しくない程度の光を透過させる効果）を得ることができなかった。
【０００４】
【特許文献１】特許第３０９２０３４号公報
【発明の開示】
【発明が解決しようとする課題】
【０００５】
本発明は、室内家具、机の扉体と照明ユニットの前カバー（框材）との意匠的一体感を図り、さらに、十分な半透過効果を得ることができる机を提供することを課題とする。
【課題を解決するための手段】
【０００６】
そこで、上記課題を解決する為、本発明が第１の手段として構成したところは、使用時には、倒伏状態として裏面を作業用の天板面として使用し、不使用時には起立状態として内部空間を閉塞するようにした扉体と、起立状態の扉体の上部に前後方向に出入自在に設けられた照明ユニットを有する机において、照明ユニットは、光源と、照明ユニットの収納状態で、起立状態の扉体の上端縁とほぼ面一で扉体と同一の材質より構成された框材を有し、框材は裏面上端部を中心として回動し、略垂直姿勢と下端が前方に突出する傾斜姿勢に姿勢変更自在に構成され、框材の裏面下端部には、框材の略垂直姿勢で框材の回動中心より後方で略水平方向に突出する半透明の合成樹脂材からなる前方遮蔽部を有する半透過板が取付けられているものである。
【０００７】
次に、本発明が第２の手段として構成したところは、上記構成に加え、半透過板は、前方遮蔽部と左右側方遮蔽部と框材裏面と連結される取付部より構成されているものである。
【０００８】
次に、本発明が第３の手段として構成したところは、さらに、第２の手段に加え、前方遮蔽部の前端が框材の下端縁より上方に位置して、框材の裏面下端部と前方遮蔽部間に手掛かり部が構成されているものである。
【発明の効果】
【０００９】
請求項１に記載の発明によると、照明ユニットの框材が扉体と同一の材質より構成され、半透明の合成樹脂材からなる前方遮蔽部を有する半透過板が、框材の略垂直姿勢で框材の回動中心より後方で略水平方向に突出して形成されているので、机の扉と照明ユニットの框材との意匠的一体感が図れ、さらに、框材が傾斜姿勢となった特、框材の下端より半透過板下方に突出するので、天板上（扉体裏面）を前方まで明るく照射すると同時に、光源が使用者の目に直接ふれず、且つ、使用者が眩しくない程度の光を透過させるのに十分な半透過効果を得ることができる。
【００１０】
請求項２に記載の発明によると、前記効果に加え、半透過板は、前方遮蔽部と左右側方遮蔽部と框材裏面と連結される取付部より構成されているので、前方だけでなく側方の半透過効果も得ることが出来る。
【００１１】
請求項３に記載の発明によると、請求項１、請求項２に記載の発明の効果に加え、框材の下端部裏面と前方遮蔽部間に手掛かり部が構成されているので、照明ユニットの引出し、框材の姿勢変更が容易にできる。
【発明を実施するための最良の形態】
【００１２】
本発明は、使用時には、倒伏状態として裏面を作業用の天板面として使用し、不使用時には起立状態として内部空間を閉塞するようにした扉体と、起立状態の扉体の上部に前後方向に出入自在に設けられた照明ユニットを有する机において、照明ユニットは、光源と、照明ユニットの収納状態で、起立状態の扉体の上端縁とほぼ面一で扉体と同一の材質より構成された框材を有し、框材は裏面上端部を中心として回動し、略垂直姿勢と下端が前方に突出する傾斜姿勢に姿勢変更自在に構成され、框材の裏面下端部には、框材の略垂直姿勢で框材の回動中心より後方で略水平方向に突出する半透明の合成樹脂材からなる前方遮蔽部を有する半透過板が取付けられ、半透過板は、前方遮蔽部と左右側方遮蔽部と框材裏面と連結される取付部より構成され、前方遮蔽部の前端が框材の下端縁より上方に位置して、框材の下端部裏面と前方遮蔽部間に手掛かり部が構成されているものである。
【実施例１】
【００１３】
以下、添付図面に基づいて実施例を詳述する。
図１〜図４において、符号１は木質材からなる本発明の机を示している。
机１は、左右に所定間隔を有して配設された左右側板１１、１１と、左右側板１１、１１間の後端部下端に配設された下部連結板１２と、左右側板１１、１１間の後端部上端に配設された上部連結板１３と、左右側板１１、１１間の高さ方向略中央部に配設された後部天板１４と、上部連結板１３のやや下方で左右側板１１、１１間に配設された上棚板１５と、上棚板１５の下面に前後方向に出入自在に配設された照明ユニット２と、後部天板１４のやや上方で左右側板１１、１１間に配設された中棚部３と、後部天板１４の下面で左右側板１１、１１間に配設された引出し部４と、後部天板１４に前端部に回動自在に連結され、起立姿勢と倒伏姿勢に変移自在の扉体５と、左右側板１１，１１の後端部間に配設された後板１６と、引出し部４の前部下面で左右側板１１、１１間に配設された中連結板１７等より構成されている。
そして、扉体５は起立姿勢となった状態で、後部天板１４と照明ユニット２および左右側板１１、１１間で形成される内部空間１０を閉塞している。
符号１５１・・・は、上棚板１５の上面と上連結板１４間に左右に所定間隔をもって取り付けられた上仕切板を示している。
【００１４】
中棚部３は、左右側板１１、１１間の略中央部に配設され、下端部が後部天板１４と連結された区画板３０と、区画板３０の上端と左右側板１１間に配設された中固定棚板３１と、左側板１１と区画板３０の上端間に取外し自在に配設され、上面が中固定棚板３１の上面と面一の中取外棚板３２と、中固定棚板３１と中取外棚板３２の上面を左右方向に移動自在に設けられた横断面横向きコ字形の中仕切枠３３と、中固定棚板３１の下面に前後に出入自在に配設された小引出し３４より構成されている。
【００１５】
引出し部４は、扉体５の開閉動作（起立姿勢と倒伏姿勢とに変移する動作）に連動して、前後方向に移動可能に左右側板１１，１１間に保持された左右支持板４３、４３と、左右支持板４３、４３の前半部上端に連結された扉体載置板４４よりなる扉体支持枠４０と、扉体支持枠４０内に出入自在に配設された左右の引出し４２、４２より構成されている。
そして、扉体支持枠４０は左右支持板４３、４３と左右側板１１、１１間に配設されたレールを４３０、４３０介して、前後方向に出入自在に保持された構成となっている。
【００１６】
扉体５は、その後端縁が帯兆番を介して後部天板１４の前端縁に回動自在に連結され、起立姿勢（図４に示す、上端部がやや後方に傾斜した状態、）で、左右側板１１、１１の内面に取付けられた扉当り１１０に裏面上端部が支持され、倒伏姿勢（図３に示す、略水平姿勢になった状態。）で、表面側が扉載置板４４に支持され、裏面側が机の天板面として使用される。
【００１７】
照明ユニット２は、左右側板１１、１１間よりやや小さめの巾で奥行き寸法が上棚板１５とほぼ等しい寸法の上板２１と、上板２１の左右端部よりやや内側よりで下方に垂設された左右壁２２、２２と、裏面上端部が上板２１の前端部に帯蝶番２０を介して回動自在に連結された框材２３と、框材２３の裏面側で上板２１の前端部下方に配設された照明用の光源２４等より構成されている。
そして、左右側板１１、１１の内面で上棚板１５の左右端部下面に前後方向に配設された支持部材２７、２７の内面側に形成された前後方向の摺動溝２６に、上板２１の左右端部が嵌入し、照明ユニット２は、上棚板１５の下面で前後方向に出入自在に支持されている。
【００１８】
框材２３は、扉体５と同一の材質（実施例では木質材）より構成され、上板２１の上方に突出して帯蝶番２０を前方から隠蔽すると共に、裏面下端部に半透明（実施例では乳白色）の合成樹脂材からなる半透過板６が取付けられ、照明ユニット２が上棚板１５の下面に収納された状態で、上縁部分裏面が上棚板１５の前端面に当接し、前面側が起立姿勢の扉体５の表面側とほぼ面一となる。（図７に示す状態。）
符号２５は、框材２３の左右端部裏面と左右壁２２、２２の内面間に配設され、所定の力を負荷しない限り框材２３の傾斜姿勢（図６に示す状態。実施例では上端部が４５度後方に傾斜した状態。）と略垂直姿勢（図５に示す状態。）が維持される開閉用金具を示している。
【００１９】
半透過板６は、框材２３の裏面にビス等にて連結される正面視（框材２３が略垂直姿勢、図５に示す状態での正面視）略上向きコ字形の連結部６１と、連結部６１の外周縁よりやや内側から、外側方向にやや傾斜して連結部６１の外周縁に沿って後方に突出する前方遮蔽部６２、および前方遮蔽部６２の左右端部に一体に連設された左右側方遮蔽部６３、６４よりなり、連結部６１の内面側所定位置数箇所に上部側が開口する連結孔６１１・・・が形成され、前方遮蔽部６２の表面側（連結部６１側端部）と連結部６１の裏面側（框材２３の下端部裏面）間に、照明ユニット２を引き出したり、あるいは框材２３を傾斜姿勢にさせたりするための手掛かり部６０が構成されている。
そして、半透過板６は框材２３の略垂直姿勢で框材２３の回動中心（帯蝶番２０の回動中心）より後方で前方遮蔽部６２が略水平方向に突出する事となり、框材２３が傾斜姿勢に回動すると、前方遮蔽部６２が框材２３の下縁より下方に突出するので、框材２３の高さ寸法を高く設定しなくても十分な半透過効果を得ることができる。
そして、光をより前方に照射する必要がある場合は、框材２３の回動可能角度（実施例では４５度である。）を大きく設定すればよい。
すなわち、框材２３の高さ寸法を高く設定しなくてもいいので、扉体５の起立状姿勢での高さ寸法を大きく設定できるので、倒伏姿勢で天板面として広く使用できる。
【図面の簡単な説明】
【００２０】
【図１】本発明の扉体を倒伏状態とし、照明ユニットを引出した状態の正面図
【図２】図１の側面図
【図３】図１のＡ−Ａ線断面図
【図４】扉体を起立状態とし、照明ユニットを収納した状態の図３に対応する断面図
【図５】図３のＢ部拡大図
【図６】框材を傾斜姿勢とした状態の図５に対応する断面図
【図７】図４のＣ部拡大図
【図８】照明ユニットと側板の関係を示す要部拡大断面図
【図９】半透過板の斜視図
【符号の説明】
【００２１】
１          机
１０        内部空間
２          照明ユニット
２３        框材
２４        光源
５        扉体    
６        半透過板
６０      手掛かり部
６２      前方遮蔽部        
６３      左側方遮蔽部
６４      右側方遮蔽
【図１】
2006034648.tif 000003
【図２】
2006034648.tif 000004
【図３】
2006034648.tif 000005
【図４】
2006034648.tif 000006
【図５】
2006034648.tif 000007
【図６】
2006034648.tif 000008
【図７】
2006034648.tif 000009
【図８】
2006034648.tif 000010
【図９】
2006034648.tif 000011